(57)【要約】【課題】各ホースをそれぞれ別個にワークテーブルに戻す場合や、全てのホースを同時期にワークテーブルに戻す場合のいずれにも対応可能なインスツルメントホースの引き出し量調整装置および歯科治療ユニットを提供する。【解決手段】歯科用インスツルメントに連結されたインスツルメントホースを引き戻すことにより、歯科用インスツルメントをテーブル（ワークテーブル７で例示）に収納するインスツルメントホースの引き出し量調整装置である。引き出された所定の１本の歯科用インスツルメントだけをテーブルに戻す動作と引き出された複数本の歯科用インスツルメントを同時期にテーブルに戻す動作とを設定する引き戻し調整部６１を備える。【選択図】図３
2019180902.tif 000002
【特許請求の範囲】
【請求項１】
歯科用インスツルメントに連結されたインスツルメントホースを引き戻すことにより、前記歯科用インスツルメントをテーブルに収納するインスツルメントホースの引き出し量調整装置であって、
引き出された所定の１本の前記歯科用インスツルメントだけを前記テーブルに戻す動作と引き出された複数本の前記歯科用インスツルメントを同時期に前記テーブルに戻す動作とを設定する引き戻し調整部を備えることを特徴とするインスツルメントホースの引き出し量調整装置。
【請求項２】
請求項１に記載のインスツルメントホースの引き出し量調整装置を搭載した歯科治療ユニットであって、
前記テーブルには、該テーブルに戻したい前記歯科用インスツルメントを選択可能な個別戻しスイッチが設けられていることを特徴とする歯科治療ユニット。
【請求項３】
請求項２に記載のインスツルメントホースの引き出し量調整装置を搭載した歯科治療ユニットであって、
前記個別戻しスイッチは、前記テーブルに戻したい前記歯科用インスツルメントを収納するホルダの近傍に設けられていることを特徴とする歯科治療ユニット。
【請求項４】
請求項１から３のいずれか一項に記載のインスツルメントホースの引き出し量調整装置を搭載した歯科治療ユニットであって、
床面に配置されるフットコントローラを有し、該フットコントローラに、引き出された複数本の前記歯科用インスツルメントを同時期に前記テーブルに戻す動作を開始させる一括戻しスイッチが設けられていることを特徴とする歯科治療ユニット。
【発明の詳細な説明】
【技術分野】
【０００１】
本発明は、インスツルメントホースの引き出し量調整装置および歯科治療ユニットに関し、詳細には、歯科用インスツルメントに連結されたインスツルメントホースを引き戻すことにより、歯科用インスツルメントをテーブルに収納するインスツルメントホースの引き出し量調整装置および歯科治療ユニットに関する。
【背景技術】
【０００２】
う歯への治療方法は、う蝕部分の除去が一般的であり、歯科用インスツルメントによる歯牙の切削が行われている。歯科用インスツルメントは、所定長さのインスツルメントホース（以下、ホースと称する）に連結されており、このホースは例えば、歯科治療用のワークテーブルの下側に収められる。
【０００３】
術者は、歯科用インスツルメントを手で掴んでホースを引き出すが（ホースの引き出し操作ともいう）、ホースが下方に垂れ下がるまで引き出してから使用したい場合や、ホースを垂れ下げない程度に引き出したまま使用したい場合がある。このため、例えば、特許文献１には、ホースの引き出し量を所望の長さに設定できる技術が提案されている。
【先行技術文献】
【特許文献】
【０００４】
【特許文献１】特許第５３６１６０６号
【発明の概要】
【発明が解決しようとする課題】
【０００５】
ところで、ワークテーブル内を洗浄するために、例えば、複数本の歯科用インスツルメントを用いることがある。具体的には、複数本のホースをワークテーブルから引き出した状態にして、各歯科用インスツルメントの先端からワークテーブル内の水を排出する。このため、その後、引き出した全てのホースをワークテーブルに戻す必要がある。
しかし、特許文献１に記載の技術では、各ホースをそれぞれ別個に引き出し可能なものであるので、全てのホースを同時期にワークテーブルに戻せることが望まれる。
【０００６】
本発明は、上述のような実情に鑑みてなされたもので、各ホースをそれぞれ別個にワークテーブルに戻す場合や、全てのホースを同時期にワークテーブルに戻す場合のいずれにも対応可能なインスツルメントホースの引き出し量調整装置および歯科治療ユニットを提供することを目的とする。
【課題を解決するための手段】
【０００７】
上記課題を解決するために、請求項１の発明は、歯科用インスツルメントに連結されたインスツルメントホースを引き戻すことにより、前記歯科用インスツルメントをテーブルに収納するインスツルメントホースの引き出し量調整装置であって、引き出された所定の１本の前記歯科用インスツルメントだけを前記テーブルに戻す動作と引き出された複数本の前記歯科用インスツルメントを同時期に前記テーブルに戻す動作とを設定する引き戻し調整部を備えることを特徴としている。
【０００８】
請求項２の発明は、請求項１の発明のインスツルメントホースの引き出し量調整装置を搭載した歯科治療ユニットであって、前記テーブルには、該テーブルに戻したい前記歯科用インスツルメントを選択可能な個別戻しスイッチが設けられていることを特徴としている。
【０００９】
請求項３の発明は、請求項２の発明において、前記個別戻しスイッチは、前記テーブルに戻したい前記歯科用インスツルメントを収納するホルダの近傍に設けられていることを特徴としている。
【００１０】
請求項４の発明は、請求項２または３の発明において、床面に配置されるフットコントローラを有し、該フットコントローラに、引き出された複数本の前記歯科用インスツルメントを同時期に前記テーブルに戻す動作を開始させる一括戻しスイッチが設けられていることを特徴としている。
【発明の効果】
【００１１】
本発明によれば、引き戻し調整部が戻す動作を設定可能であるので、１本の歯科用インスツルメントだけをテーブルに戻すことも、複数本の歯科用インスツルメントを同時期にテーブルに戻すこともできる。よって、多くの局面に対応可能なインスツルメントホースの引き出し量調整装置を提供することができる。
【図面の簡単な説明】
【００１２】
【図１】本発明のインスツルメントホースの引き出し量調整装置を搭載した歯科治療ユニットの一実施形態を説明するための斜視図である。
【図２】ワークテーブルの斜視図である。
【図３】ワークテーブルの機能ブロック図である。
【図４】個別戻しスイッチを説明するための図である。
【発明を実施するための形態】
【００１３】
以下、図面を参照しながら本発明のインスツルメントホースの引き出し量調整装置および歯科治療ユニットについて説明する。図１は、本発明のインスツルメントホースの引き出し量調整装置を搭載した歯科治療ユニットの一実施形態を説明するための斜視図である。
図１に示すように、歯科治療ユニットは、例えば、歯科治療椅子１、スピットン４、ワークテーブル７、フットコントローラ２０等からなり、歯科治療椅子１は、基台３の上方にコンターシート２を有し、コンターシート２の一端側にはバックレストや安頭台が、コンターシート２の他端側にはレッグレストがそれぞれ設けられる。
【００１４】
スピットン４は無影灯５を有し、例えばこの無影灯５の支柱にはアーム６が回動自在に取り付けられている。フットコントローラ２０は、バックレスト付近の床面に設置され、例えば接続ケーブル２１を介してスピットン４に接続されている。また、フットコントローラ２０の例えば左側には、後述する一括戻しスイッチ２２が設けられている。なお、スピットン４から引き出されたフットコントローラ２０の例を挙げて説明したが、基台３上に設置される構造や、ワークテーブル７から引き出される構造であってもよい。また、有線通信のほか、例えば赤外線等による無線通信で接続することも可能である。
【００１５】
ワークテーブル７はアーム６に取り付け可能であり、ワークテーブル７の上面には、手前側にタッチパネル式の操作部１０を有する。操作部１０の下方には、種々の歯科用インスツルメントを収納可能なホルダ８が設置される。ホルダ８の奥側にはホース収納部９が設けられ、各歯科用インスツルメントにエア、水、または電気などを供給するインスツルメントホース（以下、ホースと称する）を収納可能である。なお、ワークテーブル７が本発明のテーブルに相当する。
【００１６】
図２はワークテーブルの斜視図、図３はワークテーブルの機能ブロック図であり、図４は個別戻しスイッチを説明するための図である。
図２に示すように、ホルダ８は断面視コ字状に形成され、コ字状の開口部分を上方に向けて操作部１０の下側に設置されている。この開口部分は上方から正面板８ａで覆われており、この図２では、口腔洗浄用のシリンジ１１、ストレート型のハンドピース１２、コントラ型のハンドピース１３、スケーリング用のハンドピース１４が収められている。
【００１７】
シリンジ１１は、ノズルを装着するヘッド部と、術者に把持されるグリップ部とからなり、ハンドピース１２〜１４は、歯科用工具を装着するヘッド部と、術者に把持されるグリップ部とからなり、ホースは各グリップ部の後端に連結される。なお、図２では、歯石やプラーク（歯垢）を取り除く作業（スケーリング）用のハンドピース１４が引き出されており、ホース１４ｄが見えている。
【００１８】
ストレート型のハンドピース１２やコントラ型のハンドピース１３の各ヘッド部には、歯牙を切削するバー１３ａが装着されている。バーは、ダイヤモンド製やカーバイド製の先端部分を有し、除去や仕上げなどの各目的に沿う形状で構成される。一方、スケーリング用のハンドピース１４のヘッド部には、チップ１４ａが装着されている。チップは、スケーリングや、スケーリング後の歯根面を平滑化する作業（ルートプレーニング）などの各目的に沿う形状で構成される。なお、ストレート型、コントラ型、スケーリング用のハンドピース１２〜１４が本発明の歯科用インスツルメントに相当する。
【００１９】
そして、例えばワークテーブル７の内部には、本発明のインスツルメントホースの引き出し量調整装置が搭載されている。
図３に示すように、ワークテーブル７は、制御部６０、操作部１０、個別戻しスイッチ３０、電磁バルブ４０、ブレーキ装置５０を有し、これらはバスを介して接続される。
制御部６０は、ＣＰＵやメモリ等からなり、メモリの例えばＲＯＭに格納されている各種プログラムやデータをＲＡＭにロードし、各種プログラムを実行することにより、ワークテーブル７の動作を制御することができる。
【００２０】
個別戻しスイッチ３０は、例えばストレート用スイッチ３１、コントラ用スイッチ３２，３３、スケーリング用スイッチ３４からなり、ホルダ８の正面板８ａに設けられている。なお、本実施形態では、各スイッチ３１〜３４を正面板８ａに設けた例で説明するが、操作部１０の例えばタッチパネルに設置してもよい。また、シリンジ用のスイッチを設けることも可能である。
【００２１】
図４に示すように、ホルダ８の正面板８ａには、例えば５箇所の穴が水平方向に並んで形成され、図示の左側から順に、シリンジ用穴８ｂ、ストレート用穴８ｃ、コントラ用穴８ｄ，８ｅ、スケーリング用穴８ｆが正面板８ａを貫通して設けられている。ストレート用スイッチ３１はストレート用穴８ｃの近傍に、コントラ用スイッチ３２はコントラ用穴８ｄの近傍に、コントラ用スイッチ３３はコントラ用穴８ｅの近傍に、スケーリング用スイッチ３４はスケーリング用穴８ｆの近傍にそれぞれ設けられている。
【００２２】
各スイッチ３１〜３４は、例えば断面視凸型に形成され、凸型の中央部分が正面板８ａの外方に向けて突出し、凸型の背面部分が例えばばね（図示省略）で付勢されている。これにより、各スイッチ３１〜３４は、凸型の中央部分を例えば指で押している間は、ばねの付勢力に抗してホルダ８の奥側に向けて移動し、指を離すと、ばねの付勢力によってホルダ８の手前側に移動する。
【００２３】
電磁バルブ４０およびブレーキ装置５０は、例えばホース収納部９に収められている。図３に示すように、電磁バルブ４０は、いずれも例えばスプール式のストレート用バルブ４１、コントラ用バルブ４２，４３、スケーリング用バルブ４４からなる。ブレーキ装置５０は、ストレート用ブレーキ５１、コントラ用ブレーキ５２，５３、スケーリング用ブレーキ５４からなり、いずれも同じ構造である。
【００２４】
一例として、ストレート型のハンドピース１２について説明すると、ハンドピース１２に連結されたホースは、滑車（図示省略）に巻回されて、ホース収納部９内に収められている。滑車は、例えばばね（図示省略）によってホース収納部９の奥側に付勢されている。ストレート用ブレーキ５１は、滑車の位置を制動可能であり、ストレート用バルブ４１は、ストレート用ブレーキ５１にエアを供給可能に構成されている。
【００２５】
このため、例えばストレート用バルブ４１が開の場合には、所定の流路にエアが供給されてストレート用ブレーキ５１が作動し、滑車の位置がロック状態になって、ハンドピース１２に連結されたホースの長さが維持される。
これに対し、例えばバルブ４１が閉の場合には、他の流路にエアが供給されて上記所定の流路にはエアが供給されなくなる。これにより、ブレーキ５１が作動停止し、滑車の位置がアンロック状態になり、ハンドピース１２に連結されたホースがワークテーブル７内に戻される。
【００２６】
制御部６０は引き戻し調整部６１を有している。引き戻し調整部６１は、各スイッチ３１〜３４の信号に基づいて各バルブ４１〜４４に駆動信号をそれぞれ出力する。
また、フットコントローラ２０の一括戻しスイッチ２２の信号は、ワークテーブル７に入力可能に構成されており、引き戻し調整部６１は、一括戻しスイッチ２２の信号に基づいて各バルブ４１〜４４に駆動信号を同時期に出力する。なお、本実施形態では、一括戻しスイッチ２２をフットコントローラ２０に設けた例を説明したが、操作部１０の例えばタッチパネルに設置してもよい。
【００２７】
そして、引き戻し調整部６１は、各スイッチ３１〜３４の信号であるか、一括戻しスイッチ２２の信号であるかに応じて、１本の歯科用インスツルメントだけをワークテーブル７に引き戻す動作と複数本（例えば４本）の歯科用インスツルメントを同時期にワークテーブル７に引き戻す動作とを設定することができる。
【００２８】
例えば術者がストレート型のハンドピース１２を使用したい場合、このハンドピース１２を持ってワークテーブル７から引き出す。その後、術者がスケーリング用のハンドピース１４を使用する予定であるが、このスケーリング用のハンドピース１４の使用中に、援助者がストレート型のハンドピース１２のバー１３ａを交換した場合を想定する。
【００２９】
援助者がハンドピース１２のバー１３ａの交換を終えた場合には、このストレート型のハンドピース１２をワークテーブル７に戻す必要がある。しかし、スケーリング用のハンドピース１４は使用中であるので、ストレート型のハンドピース１２だけをワークテーブル７に戻すことになる。そこで、例えば援助者がストレート用スイッチ３１を押すと、このスイッチ３１を押している間は、このスイッチ３１からの信号が引き戻し調整部６１で検出され、引き戻し調整部６１がストレート用バルブ４１を閉にする。
【００３０】
ストレート用バルブ４１が閉の場合には、上記所定の流路にはエアが供給されずに他の流路にエアが供給されるため、ストレート用ブレーキ５１が作動停止し、このハンドピース１２に連結されたホースだけがワークテーブル７内に引き戻される。
これに対し、例えばワークテーブル７内を洗浄したい場合、ストレート型のハンドピース１２、コントラ型のハンドピース１３、スケーリング用のハンドピース１４をワークテーブル７から引き出す。次いで、各ハンドピース１２〜１４を介してワークテーブル７内の水を抜いた場合を想定する。
【００３１】
ワークテーブル７内の乾燥後には、各ハンドピース１２〜１４をワークテーブル７に速やかに戻す必要がある。そこで、フットコントローラ２０の一括戻しスイッチ２２を押すと、このスイッチ２２からの信号が引き戻し調整部６１で検出され、引き戻し調整部６１がストレート用バルブ４１、コントラ用バルブ４２，４３、スケーリング用バルブ４４を閉にする。
【００３２】
ストレート用バルブ４１、コントラ用バルブ４２，４３、スケーリング用バルブ４４がそれぞれ閉の場合には、ストレート用ブレーキ５１、コントラ用ブレーキ５２，５３、スケーリング用ブレーキ５４がいずれも作動停止し、各ハンドピース１２〜１４に連結された各ホースが同時期にワークテーブル７内に引き戻される。
なお、スケーリング用のハンドピース１４の使用中に、ストレート型のハンドピース１２のバー１３ａを交換する例を挙げて説明したが、非アクティブ状態であれば、ストレート型のハンドピース１２の他、コントラ型のハンドピース１３のバー１３ａも同時期に交換可能である。
【００３３】
以上のように、引き戻し調整部６１が戻す動作を設定可能であるので、バー１３ａの交換後のような、ストレート用バルブ４１だけをワークテーブル７に戻すことも、ワークテーブル７内の洗浄後のような、ストレート型、コントラ型、スケーリング用の各ハンドピース１２〜１４を同時期にワークテーブル７に戻すこともできる。よって、多くの局面に対応可能なインスツルメントホースの引き出し量調整装置を提供することができる。
【００３４】
また、ストレート用、コントラ用、スケーリング用スイッチ３１〜３４をホルダ８の正面板８ａに設置すれば、ワークテーブル７に戻したいハンドピース１２〜１４を容易に選択することができる。さらに、ストレート用スイッチ３１をストレート型のハンドピース１２の近傍に設けており、ワークテーブル７に戻したいハンドピース１２〜１４を確実に選択することができる。
さらにまた、フットコントローラ２０に一括戻しスイッチ２２を設ければ、ストレート型、コントラ型、スケーリング用の各ハンドピース１２〜１４を速やかにワークテーブル７に戻すことができる。
【００３５】
上記実施形態では、スプール式の電磁バルブの例を挙げて説明したが、本発明は、必ずしもこの例に限定されるものではない。例えば、非通電時には所定の流路を閉じ、通電にはこの流路を開くようなポペット式の電磁バルブであってもよい。
また、スイッチを押している間は、ホースをワークテーブルに戻せる例で説明した。しかし、スイッチを１回押した場合に、ホースをワークテーブルに戻すことができ、スイッチをもう１回押した場合に、ホースの長さを維持できるようにしてもよい。また、ブレーキ装置もエア駆動式に限定されず、公知の構成を採用可能である。
【符号の説明】
【００３６】
１…歯科治療椅子、２…コンターシート、３…基台、４…スピットン、５…無影灯、６…アーム、７…ワークテーブル、８…ホルダ、８ａ…正面板、８ｂ…シリンジ用穴、８ｃ…ストレート用穴、８ｄ，８ｅ…コントラ用穴、８ｆ…スケーリング用穴、９…ホース収納部、１０…操作部、１１…シリンジ、１２，１３，１４…ハンドピース、１３ａ…バー、１４ａ…チップ、１４ｄ…ホース、２０…フットコントローラ、２１…接続ケーブル、２２…一括戻しスイッチ、３０…個別戻しスイッチ、３１…ストレート用スイッチ、３２，３３…コントラ用スイッチ、３４…スケーリング用スイッチ、４０…電磁バルブ、４１…ストレート用バルブ、４２，４３…コントラ用バルブ、４４…スケーリング用バルブ、５０…ブレーキ装置、５１…ストレート用ブレーキ、５２，５３…コントラ用ブレーキ、５４…スケーリング用ブレーキ、６０…制御部、６１…引き戻し調整部。
【図１】
2019180902.tif 000003
【図２】
2019180902.tif 000004
【図３】
2019180902.tif 000005
【図４】
2019180902.tif 000006